Podtech/llm-jp-corpus-v4-ja_patent huggingface dataset:
(57)【要約】【課題】一般にインポテンツの人の悩みを解決するためのグッズや薬等が多々ありますが、いずれも限界がある。あっても精神的にも肉体的にもかなりの疲労をしいられるのでインポテンツ専用の補助器具の製作を余儀なくされている。【解決手段】補助器具を身体に固定させるための腰バンド（１）を設ける。更らに生殖器を押し込み、セット固定させるための支え糸付き円筒の筒（４）（５）（６）を設ける。同時に生殖器を引っ張り上げ固定するためのフック（８）付きの流線型頭（７）を設けて生殖器の補助器具とした。【選択図】図１
2020006119.tif 000002
【特許請求の範囲】
【請求項１】
生殖器の補助器具全体を支えるためのバンドに取り外し式（３）で、かつ長さ調節付き（２）の腰バンド（１）を設ける。
又、男子生殖器の棒部分を格納するための補助器具の土台からナイロン糸付き丸棒（５）の２本を設けて円筒型の筒（４）（５）（６）を構成する、更らに補助器具の先端には貫通穴（９）及び引っ張用フック（８）付きの流線型頭（７）を設けて、生殖器の補助器具とした。
【請求項２】
補助器具の丸棒（５）の円筒部分の筒（４）（５）（６）から、生殖器の棒が飛び出さないよう等間隔でナイロン糸を張りセット固定させる方法が同器具の生命線であり、基本である。この基本を損なうことなく簡略し円筒部分を例えば二つ折りにし生殖器を格納押し込みセット固定する方法又単に平棒に生殖器の棒をはりつけのような方法でセット固定する方法で構成しても良い。
【請求項３】
補助器具の土台部分を丸リング（４）としているが、耐えられなければ丈夫なドーナツ状等の頑丈な物でも良い。又、土台部分（４）から２本の丸棒（５）を支えているが耐えられれば１本の平棒にしても良い。更に補助器具の先端部分を流線型頭（７）としているが単なるロッケト状のもので構成しても良い。
【請求項４】
男子生殖器には大小があるのでそれに応じた補助器具が必要になるが、その都度の対応では大変なので予め主要部分を筒便にし、取り外し、組み立ててセット固定する方法で構成しても良い。
【請求項５】
補助器具を構成する全ての材質は、軽くて弾力性のあるナイロ、シリコンその他樹脂で構成しているが、使用時の感覚や感触を考慮して他の材質等で構成しても良い。
【発明の詳細な説明】
【技術分野】
【０００１】本発明は、生殖器の補助器具を身体に固定させるための腰バンド（１）を設ける。そのバンドの装着の土台（４）に生殖器を格納するための円筒状の筒部分（４）（５）（６）を設け、更に筒の先端にロッケト状の流線型頭（７）を設けた生殖器の補助器具に関するものである。
【背景技術】
【０００２】従来からインポテンツの方に対応する最適な生殖器の補助器具はない。
よって、病的理由や高齢者そして体力のない人等の要求が満たされず、不満を余儀なくされていた。
【発明の概要】
【発明が解決しようとする課題】
【０００３】従来から生殖器の補助器具がなかったので、インポテンツの方には子孫繁栄の維持に苦慮していた。又夫婦生活にも満たされない不満が見受けられた。
【課題が解決するための手段】
【０００４】本発明は、男子生殖器本来の形状、機能、特性等を損なうことなく補助器具の先端部分はロッケト状で流線型頭（７）とし、その中間には感触が損なわれないよう円筒状の筒（４）（５）（６）を設け、更に使用中に生殖器が補助器具から外れないよう腰バンド（１）を設けて、生殖器の補助器具とした。
【発明の効果】
【０００５】本発明は、インポテンツで悩んでいる方、病気の方、高齢の方、体力のない方などが補助器具を使用することにより、疲れることなく自然体で性行為をすることができる。
【図面の簡単な説明】
【０００６】
【図１】本発明の生殖器の補助器具の参考斜視図である。
【図２】本発明の使用状態を示す生殖器の補助器具とのイメージを含む参考側面図である。
【発明を実施するための形態】
【０００７】本発明の補助器具を生殖器に差し込み、生殖器の頭をゴムで引っ張り、流線型頭（７）のフック（８）に掛けると同時に円筒型の筒（４）（５）（６）にある糸にからませセット固定させる。更らに腰バンド（１）で補助器具自体を体にセット固定し実施される。
【実施例】
【０００８】実施例については、図面を参照［図１］［図２］のとおり、補助器具を生殖器に取り付けて生殖器の補助器具として使用実施される。
【産業上の利用可能性】
【０００９】本発明の産業上の利用可能性は自明なので省略する。
【符号の説明】
【００１０】１、腰バンド
２、長さ調節具
３、腰バンド取り外し具
４、丸リング
５、糸装着用付支え丸棒
６、生殖器支え糸
７、流線型頭
８、生殖器の引っ掛け用フック
９、貫通穴
【図１】
2020006119.tif 000003
【図２】
2020006119.tif 000004
(57)【要約】      （修正有）【課題】シート表面および重り、それぞれの一部分または複数部分、あるいは全面に設けた連結具によって、シート表面で重りを着脱できるシートを提供する。【解決手段】シート１表面の一部分または複数部分、あるいは全面に着脱自在な連結具２を設け、重り３の一部分または複数部分、あるいは全面に連結具２を設けシート表面と重りを自在に着脱可能にしたことを特徴とする。【選択図】図２
2020006114.tif 000002
【特許請求の範囲】
【請求項１】
シート（１）表面の一部分または複数部分、あるいは全面に着脱可能な連結具（２）を設け、また、重り（３）の一部分または複数部分、あるいは全面に連結具（２）を設けたことを特徴とする着脱自在な重り付きシートである。
【発明の詳細な説明】
【技術分野】
【０００１】  この発明は、シート表面および重り、それぞれの一部分または複数部分、あるいは全面に設けた連結具によって、シート表面で重りを着脱できるシートに関するものである。
【背景技術】
【０００２】  従来、シートと重りは、それぞれの一部分または複数部分、あるいは全面に設けた連結具によって、シート表面上で着脱自在に一体化したり、分離されたりしていなかった。
また、シートは、杭、留め具、固定ピン、重りの自重（特許文献３参照）、重りとの一体化などによって、またはシートと重りを地面に近い部分で固定したり（特許文献２参照）、シートと重りを止着体などの部品で固定したりして設置を維持していた（特許文献１参照）。
【先行技術文献】
【特許文献】
【０００３】
【特許文献１】特開１９９６−２６６３３４号公報
【特許文献２】特開２００４−４９５２０号公報
【特許文献３】特開２０１３−１３００４６号公報
【発明の概要】
【発明が解決しようとする課題】
【０００４】  これは、つぎのような欠点があった。
杭や留め具、固定ピンなどを使ってシートを設置する場合、外力が加わった時に、設置を維持出来るが、設置または撤去に、大きな労働力や時間が必要である。
重りの自重によってシートの設置を維持する場合、一時的に維持出来るが、重りとシートの位置は、摩擦力に依存するため、摩擦力以上の力が、シートもしくは重りに加わると、重りが動く恐れがある。重りが動き、重りとシートの間に接触面が無くなると、さらに外力が加わった時にシートの設置が維持出来なくなる。
シートと重りを一体化した場合は、どちらかが破損した場合、すべてを交換する必要がある。また、重りの部分が、あらかじめシートに一体化されているため、外力に耐えられる重りの重さに限度があり、また限度を超える外力によって、シート全体の設置が維持出来なくなる。
重りとシートを地面に近い部分で固定して設置する場合、シートの表面を抑える事が出来ず、さらに設置範囲はシート内に収まらない。
また、シートと重りを私着体などの部品で固定する場合、使用者はシートと重り、私着体の管理が必要であり、設置および撤去の時に、非効率的である。
【課題を解決するための手段】
【０００５】  シート（１）表面の一部分または複数部分、あるいは全面に着脱自在な連結具（２）を設け、重り（３）の一部分または複数部分、あるいは全面に連結具（２）を設ける。
本発明は、以上の構成よりなる着脱自在な重り付きシートである。
【発明の効果】
【０００６】  本発明の着脱自在な重り付きシートは、シート設置後に着脱自在な重りを、連結具を用いて連結させるだけで、シートの設置が維持できるので、想定される外力に耐えられる重りと連結具を使うだけで、設置および撤去に必要な労働力と時間が削減され、きわめて便利である。
【図面の簡単な説明】
【０００７】
【図１】本発明の斜視図である。
【図２】本発明のシートと重りを分離した状態を示した斜視図である。
【図３】シート表面の４箇所に、連結具を設け、４個の重りをシートに一体化させた斜視図である。
【図４】シート表面の１部分に、連結具を設け、８個の重りをシートに一体化させた斜視図である。
【図５】シート表面の８箇所に、連結具を設け、８個の重りをシートに一体化させた斜視図である。
【図６】シート表面の２箇所に、連結具を設け、同様のシートを２枚並べ、６個の重りを２枚のシートに一体化させた斜視図である。
【発明を実施するための形態】
【０００８】  以下、本発明を実施するための形態について説明する。
シート（１）表面の一部分または複数部分、あるいは全面に連結具（２）を付ける。シートの設置を維持するための重り（３）の一部分または複数部分、あるいは全面に連結具（２）を付ける。
本発明は、以上のような構造である。
本発明を使用するときは、連結具（２）を用いて、シート（１）の表面と重り（３）を一体化させる。
【符号の説明】
【０００９】    １  シート
２  連結具
３  重り
【図１】
2020006114.tif 000003
【図２】
2020006114.tif 000004
【図３】
2020006114.tif 000005
【図４】
2020006114.tif 000006
【図５】
2020006114.tif 000007
【図６】
2020006114.tif 000008
(57)【要約】【課題】畳に座る生活様式で猫背になる人が猫背になりたくない、直したい、子供を猫背にしたくないと思う人に、１本の伸縮する紐を輪にし、安全ピンと共用した猫背防止具を提供する。【解決手段】１本の紐Ｂの両端を縫い合わせて輪にし、安全ピンＣの針Ｃ１の針先を紐Ｂ上の針穴Ｄ、Ｄ１からＣ１、Ｃに刺し通して安全ピンＣに収容し、各人に合わせた猫背防止具Ａを作り、背側３に置いて右腕１と左腕２の指先から肘上位を猫背防止具Ａの両端に入れ、張り合うようにすると体が自然に胸側４を張る状態になる。【選択図】図２
2020006115.tif 000002
【特許請求の範囲】
【請求項１】
猫背を矯正、防止するため、水平に両腕、胸側、背側を回る１本の伸縮する紐の両端を繋ぎ、安全ピンで自分に合う輪にして背側に置き、輪の両端に両腕の指先から肘上近辺を入れ、両腕が輪の両端を紐のように引き合うようにすると、装着した人が常時胸を張る状態になる事を特徴とする猫背防止具。
【請求項２】
請求項１で人は体格の違い、夏冬の衣類の厚さ、成長する子供に合わせるため紐を長くして、紐の一部を重ね安全ピンで留めて長さを調整出来るようにし、安全ピンは常時備える事を特徴とする猫背防止具。
【請求項３】
請求項１で上半身の体格が正常な人は装着に慣れれば１０秒位で出来る事を特徴とする猫背防止具。
【発明の詳細な説明】
【技術分野】
【０００１】  本発明は生活様式で猫背になる人が発生するので予防、直す猫背防止具に関する事である。
【背景技術】
【０００２】  猫背は気持の行動だけで直す事が出来るが、気が付いた時、猫背になっているのが通常であり、猫背を直すため１本の紐の防止具を１０秒位で両腕の各１ヶ所のみの装着で猫背状態を弱め、酸素吸収を多くして健康に寄与し、使用しない場合は着衣の胸ポケットに収容し、どこにでも手軽に携帯出来る用具は見当たらない。
【発明の概要】
【発明が解決しようとする課題】
【０００３】  猫背は重い頭を斜めに支え、胸を狭めて酸素吸収を少なくして、歩幅も狭くし体に良くない事は誰でも知っており、直そうとしても気が付いたら猫背状態になっているのを本発明は誰でも共用出来て腕のみに装着し、常時胸を張る状態にするものを提供する。
【課題を解決するための手段】
【０００４】  猫背習性を脱出するため、１本の伸縮する紐の両端を繋ぎ、輪にして背側に置き、輪が大きすぎると判断したら各自安全ピンで自分に合う輪に調整し、輪の両端に指先から両腕の肘から脇下間の主に肘上近辺を入れて、両腕で輪の両端を引き合うようにすると、全ての人は胸が張り、続けることにより猫背習性を改善する。
【発明の効果】
【０００５】  猫背防止具を胸ポケットに収容しどこにでも携帯便利、１０秒位で背側の両腕間の肘上近くを紐で繋いで両腕が体の背側の紐で引き合うようになり、装着を意識又は無意識に関係なく着用した全ての人は常時胸を張った状態になり、胸を張ることは酸素吸収が大になり健康に寄与し猫背習性を弱める手段となる。
【図面の簡単な説明】
【０００６】
【図１】１本の紐の両端を繋いだ輪を安全ピンで大小にする説明図である。
【図２】上方から見た両腕と背に回した紐の状態を示す見取り図である。
【発明を実施するための形態】
【０００７】  以下、猫背改善用具Ａを実施するための形態を示す。
【０００８】  図１，２で紐Ｂは右腕１と左腕２の肘上周辺を回すので肌への圧力感を弱めるため人の好みによるが丸状より平面状を採用し、紐Ｂの両端を縫い合わせて輪にする。
図１の紐Ｂ上に針穴Ｄ、Ｄ１、Ｅ、Ｅ１を印し、図２の安全ピンＣの安全ピン針Ｃ１の針先を針穴Ｄ、Ｄ１、Ｅ１、Ｅに通し、針先を安全ピンＣに収容して各人に合わせた輪にする。
図１で針穴Ｄ、Ｄ１、とＥ、Ｅ１の距離を長くすると背側の輪は小になり、短くすると輪は大になる。
【０００９】  図２は図１の背側で作った輪の紐Ｂの両端に右腕１と左腕２の指先から入れて両肘上近辺で右腕１と左腕２が引き合うと胸側４が張り猫背を修正する働きが生じる。
【符号の説明】
【００１０】Ａ    猫背防止具
Ｂ    紐
Ｃ    安全ピン
Ｃ１  安全ピンの針
Ｄ、Ｄ１  針穴
Ｅ、Ｅ１  針穴
１    右腕
２    左腕
３    背側
４    胸側
【図１】
2020006115.tif 000003
【図２】
2020006115.tif 000004
(57)【要約】      （修正有）【課題】洋服の襟や胸、又はバック等に固定し、気温の高い夏場、炎天下で行動したりスポーツ等の観戦をした場合、万一、乳幼児等を抱きかかえていても、幼い柔らかな皮膚の火傷や、あざの原因を解消し、いつても何処でも気兼ねなく着用し楽しめ且つ、柔らかくマシュマロのような肌触りがする表面がソフトな缶バッジを提供する。【解決手段】天板１の上面にクッション材２を設け、柔軟な覆い材３を用いてクッション材２を覆うと共に、固定体４の端部を天板１の端部に挿入し、固定したことである。【選択図】図１
2020006117.tif 000002
【特許請求の範囲】
【請求項１】
天板１の上面にクッション材を配置するように、柔軟な覆い材を用いて前記クッション材を覆うと共に、固定体を前期天板の端部に挿入したことを特徴とする表面がソフトな缶バッジ。
【発明の詳細な説明】
【技術分野】
【０００１】  本発明は、ブリキ等を用いて製作する軽量の缶バッジに関するものである。
【背景技術】
【０００２】  従来、缶バッジは缶の蓋状の天板と安全ピン等を留め具として設けた、固定体からなり、この固定体を薄い容器状の天板内に圧入して安定化させ、帽子や衣服、鞄等の好みの位置に固定用のピンで固定する目印やお洒落として用いて楽しんでいる。【０００３】  しかし、上記の技術に依れば、天板の表面に所望の印刷を施し、又はお目当てのシールを貼着したのみの状態で、洋服の襟や胸、又はバック等に固定してあるため、外気温の高い夏場、炎天下で行動したりスポーツ等の観戦をした場合、ある程度気温や太陽熱等が蓄積されることがあり万一、乳幼児等を抱きかかえていた場合、幼い柔らかな皮膚に直接天板が触れると、火傷や、あざの原因ともなる事も想定され、非常に危険を感じており、特に近年は、夏場の気温は異常と言う程に高く、火傷の危険は一段と増加していると言っても良い。
【発明の概要】
【発明が解決しようとする課題】
【０００４】  従って、本発明が解決しようとする課題は、天板の表面に所望の印刷を施し、又はお目当てのシールを貼着し、洋服の襟や胸、又はバック等に固定し、気温の高い夏場、炎天下で行動したりスポーツ等の観戦をした場合、万一、乳幼児等を抱きかかえていても、幼い柔らかな皮膚が直接天板が触れても、火傷や、あざの原因を解消し、いつても何処でも気兼ねなく着用し楽しめ且つ、柔らかく肌触りの良い表面がソフトな缶バッジを提供することである。
【課題を解決するための手段】
【０００５】本発明に依れば、天板１の上面にクッション材２を配置するため、柔軟な覆い材３を用いてクッション材２を覆うと共に、固定体４の端部周胴を天板１の端部周胴に挿入し、固定することである。
【発明の効果】
【０００６】  上記、本発明に依れば、天板１の外部表面はクッション材２及び覆い材３を設けてあるため、例えば直射日光にさらされた場合、日光の熱は覆い材３を透過しクッション材２に及ぶが、クッション材２は発泡ウレタン又はスポンジ等で構成されているから、多数の細かな気泡により断熱作用が生じ、缶バッジ本体、例えば天板１や固定部４に太陽光等による熱が蓄えられることが無いから幼い柔らかな皮膚が直接天板が触れても、火傷や、あざの原因は完全に解消するとともに、クッション材２及び覆い材３の作用により、いつても何処でも気兼ねなく着用可能でマシュマロのような肌触りの楽しめる表面がソフトは缶バッジを提供することができた。
【図面の簡単な説明】
【０００７】
【図１】  本発明の表面がソフトな缶バッジの一部切り欠きの斜視図である。
【発明を実施するための形態】
【０００８】  以下、本発明を実施するための形態を図１に基づいて説明すると、適宜な厚みで板状の金属を用いて浅い容器状の天板１を形成し、覆い材３は天板１を包むように覆って固定体４と共に天板１の周胴内に挿入固定するに充分且つ最適な大きさで、クッション材２を適宜にカバー出来ることが望ましい。
【０００９】  更に、クッション材２のクッション性能は、覆い材３の上から手指等で押圧した場合に於いて、無理なく天板１の上で押圧する手指を受け止めることが可能であり、この手指に依る押圧力から解放したさい、基の形状にゆっくりと復元する程度の反発力を備えていることが望ましい。
【００１０】  又、覆い材３は柔軟で、乳幼児等の肌に直接触れても違和感等の支障を来すことの無く、且つ、使用中に破損する恐れの無く、クッション材２のクッション性を阻害する恐れの無い覆い材３であって、例えば、覆い材３の上から手指等で押圧した場合に於いて、無理なく天板１の上で押圧する手指を受け止め、この手指に依る押圧から解放したさい、基の形状にゆっくりと復元すると覆い材３の面に印刷等によって設けた絵柄が、適宜な時間変化を維持することも可能であり、本発明を使用する人たちによる工夫で遊び心をくすぐることが出来る。
【００１１】  言い換えれば、例えばキャラクターや人間を顔を覆い材３の面に印刷し、覆い材３の上から手指等で押圧し、次にこの手指に依る押圧力から解放すると、基の形状にゆっくりと復元する。
この時指の押圧の跡が、顔の傷の跡や、又は笑窪等に見立てることが可能で、肌に感ずる感触だけで無く、絵柄等の変化を楽しむ事のできる缶バッジを提供することができる。
【００１２】  更に、本発明の缶バッジを組み立てるには、適宜な暑さの金属板を薄い容器状に形成して天板１を形成し、覆い材３の略中央部に天板１と同形状か、又は若干小さいクッション材２を載せ、覆い材３で天板１の周胴を覆いつつ、天板１の内側に覆い材３の縁部を突出せしめた後、固定体４を薄い容器状の天板１内に挿入し固定する。
【００１３】  本発明の缶バッジは上記の如くであるから、天板１の外部表面はクッション材２及び覆い材３を設けてあるため、例えば直射日光にさらされた場合、日光の熱は覆い材３を透過しクッション材２に及ぶが、クッション材２は発泡ウレタン又はスポンジ等で構成されているから、多数の細かな気泡により断熱作用が生じ、缶バッジ本体、例えば天板１や固定体４に太陽光等による熱が蓄えられることが無いから幼い柔らかな皮膚が直接天板が触れても、火傷や、あざの原因は完全に解消し、いつても何処でも気兼ねなく着用し楽しめる表面が柔らかい缶バッジが形成される。
【００１４】  更には、天板１の上面にクッション材２を介して覆い材３が設けられているため、柔軟でなだらかな曲面が形成され、肌に触れる感触はマシュマロのように柔らかくなり、印刷等もシルクスクリーン印刷等が極めて容易に施す型も可能であり、又シール等を貼着することも可能で表面がソフトな缶バッジを提供することが出来た。
【産業上の利用可能性】
【００１５】  缶バッジの天板を発泡ウレタン又はスポンジ等のクッション材を配置し、肌触りが良く柔軟な覆い材で覆うから、太陽光等の熱を蓄えず、マシュマロのような肌触りを楽しめる缶バッジを提供することで、新たな需要を呼び起こす。
【符号の説明】
【００１６】１  天板
１Ａ  端部周胴
１Ｂ  端部周胴
２  クッション材
３  覆い材
４  固定体
【図１】
2020006117.tif 000003
(57)【要約】      （修正有）【課題】食器を使用する際、持ちやすくする為の、指掛け部付き食器を提供する。【解決手段】食器の下部外周に指掛け部１を設け、持つ際に指を掛けやすくすることを特徴とする食器。【選択図】図３
2020006113.tif 000002
【特許請求の範囲】
【請求項１】
下部外周に突出部を設けたことを特徴とする食器。
【発明の詳細な説明】
【技術分野】
【０００１】  本発明は、食器を持つ際に、容易に持てるようにするための、手指掛け部付き食器に関するものである。
【背景技術】
【０００２】  食器を持つときは底部分に手指を掛けると持ちやすいが、その時は一度食器の底を浮かせて手指を掛ける必要がある。
食器の上部外周に複数の角型を取り付けて、手指が食器内容物に触れないようにする内容の発明特許文献がある。（特許文献１参照）
【先行技術文献】
【特許文献】
【０００３】
【特許文献１】特開２０１０−２２０９９５
【発明の概要】
【発明が解決しようとする課題】
【０００４】  従来より、次のような問題点があった。
（イ）食器を持つときは、底部に手指を掛けるため一度食器を浮かせて手指を差し込む必要があり、落としたり、内容物をこぼしたりする事もあった。
（ロ）食器の上部外周に複数の角型をつけた場合も、食器底部に手指を掛けるためには食器底部を浮かせる必要がある。
【課題を解決するための手段】
【０００５】  食器の下部外周に、手指を掛けるための突出物を設けることにより、食器底部に手指を掛けずに食器を持つことが出来る。
以上を特徴とする食器である。
【発明の効果】
【０００６】  簡単に食器の取り扱いができるようになり、手指の力の弱い人や、幼児、高齢者等でも、落下させたり内容物をこぼしたりすることを軽減させることができる。
【図面の簡単な説明】
【０００７】
【図１】  本発明の平面図である。
【図２】  本発明の正面図である。
【図３】  本発明の平面図上Ａ−Ａ断面図である。
【発明を実施するための形態】
【０００８】  以下、本発明の形態を説明する。
食器下部外周に突起部（１）を設ける。
本発明は、以上の形態よりなる食器である。
本発明を使用する時は、下部外周の突出部（１）に手指を掛けて使用する。
【図１】
2020006113.tif 000003
【図２】
2020006113.tif 000004
【図３】
2020006113.tif 000005
(57)【要約】      （修正有）【課題】車両等に搭載されるエンジンにおいて、振動を抑制することが可能なオイルパンを提供することを課題とする。【解決手段】エンジンと車両とを締結するマウント１４がオイルパン２０にも取り付けられる内燃機関１００において、シリンダブロック１０およびオイルパン２０のマウント取り付け箇所において、オイルパンの２つの取付部１４ａと、前記２つの取付部の間に延伸する、オイルパン２０を横断するリブ３０、を具備するオイルパン。【選択図】図１
2020084864.tif 000002
【特許請求の範囲】
【請求項１】
それぞれがマウントに取り付けられる２つの取付部と、
前記２つの取付部の間に延伸するリブと、を具備するオイルパン。
【発明の詳細な説明】
【技術分野】
【０００１】
本発明はオイルパンに関する。
【背景技術】
【０００２】
車両等に搭載されるエンジンの潤滑および冷却にオイルが用いられる。オイルはエンジンの下部に設けられたオイルパンに貯留される。オイルパンにエンジンの振動が伝わることがある。オイルパンの振動を低減するため、車両の前後方向にわたってオイルパンにリブを設ける（特許文献１など）。
【先行技術文献】
【特許文献】
【０００３】
【特許文献１】特開２０１１−１０６３８１号公報
【発明の概要】
【発明が解決しようとする課題】
【０００４】
エンジンと車両とを締結するマウントがオイルパンにも取り付けられることで、オイルパンに力が働き、エンジンが振動する恐れがある。そこで振動を抑制することが可能なオイルパンを提供することを目的とする。
【課題を解決するための手段】
【０００５】
上記目的は、それぞれがマウントに取り付けられる２つの取付部と、前記２つの取付部の間に延伸するリブと、を具備するオイルパンによって達成できる。
【発明の効果】
【０００６】
振動を抑制することが可能なオイルパンを提供できる。
【図面の簡単な説明】
【０００７】
【図１】図１（ａ）は内燃機関を例示する模式図である。図１（ｂ）はシリンダブロックおよびオイルパンを拡大した模式図である。
【図２】図２はオイルパンを例示する平面図である。
【発明を実施するための形態】
【０００８】
以下、図面を参照して本実施形態のオイルパン２０について説明する。図１（ａ）は内燃機関１００を例示する模式図であり、車両の前方側（Ｆｒ側）から見ている。図１（ａ）に示す内燃機関１００は例えばガソリンエンジンなどであり、車両に搭載される。
【０００９】
内燃機関１００は、シリンダブロック１０、シリンダヘッド１２およびオイルパン２０を有する。シリンダブロック１０の上にシリンダヘッド１２が取り付けられ、シリンダブロック１０の下にオイルパン２０が取り付けられる。点線で示すように、オイルパン２０には、オイルパン２０を横断するリブ３０が設けられている。シリンダブロック１０、シリンダヘッド１２、オイルパン２０およびリブ３０は例えばアルミニウムなどの金属で形成されている。
【００１０】
内燃機関１００の車両への取り付けはマウント１４により行われる。すなわち、マウント１４の一端が内燃機関１００に取り付けられ、他端が車両に取り付けられることで、内燃機関１００が車両に取り付けられる。マウント１４は例えばゴムなどで形成されている。
【００１１】
図１（ｂ）はシリンダブロック１０およびオイルパン２０を拡大した模式図であり、内燃機関１００を側面側から見ている。オイルパン２０は浅い方から深い方にかけて３つの領域２２、２４および２６に分けられる。シリンダブロック１０から落下するオイルは領域２２から２６にかけてオイルパン２０の底面に沿って流れる。オイルはオイルポンプでくみ上げられシリンダブロック１０およびシリンダヘッド１２に供給され、オイルパン２０に循環する。
【００１２】
オイルパン２０の側面に締結点１４ａが設けられ、シリンダブロック１０の側面に締結点１４ｂが設けられている。締結点１４ａ（取付部）、および締結点１４ｂは内壁にねじ山を有する穴であり、これらにボルトが挿入されることで、マウント１４は内燃機関１００に固定される。３つの締結点１４ｂはシリンダブロック１０への締結点である。締結点１４ａはオイルパン２０への締結点である。図１（ｂ）では内燃機関１００の２つの側面のうち一方を示しており、他方の側面にも図１（ｂ）と同様に締結点１４ａおよび１４ｂがあり、マウント１４が取り付けられる。
【００１３】
内燃機関１００において燃料が燃焼すると下向きの荷重が発生する。これにより図１（ａ）に矢印で示すようにマウント１４を支点としたモーメントが発生し、オイルパン２０には外側に開くような力が働く。こうした荷重による内燃機関１００の振動を抑制するため、オイルパン２０にリブ３０を設ける。
【００１４】
図２はオイルパン２０を例示する平面図である。図２に示すように、オイルパン２０の領域２６にリブ３０が設けられている。リブ３０は例えば２つの締結点１４ａの間に延伸し、これらを結ぶ。リブ３０は例えば金属で形成され、オイルパン２０と同時に鋳造される。
【００１５】
本実施形態によれば、オイルパン２０の２つの締結点１４ａ間にリブ３０が設けられることにより、オイルパン２０の剛性が向上する。図１（ａ）に一点鎖線で示すように２つのマウント１４およびリブ３０でトラス構造が形成されるため、特に下向きの荷重に対して剛性が高くなる。したがって内燃機関１００の振動が抑制される。
【００１６】
マウント１４から生じるモーメントによる振動を抑制するため、リブ３０は２つの締結点１４ａを結ぶ。リブ３０の太さは適宜変更してもよい。オイルパン２０におけるオイルの流れを妨げないように、リブ３０はオイルパン２０のうち最も深い領域２６に設けることが好ましい。また、リブ３０をオイルパン２０の底面から離間させてもよい。例えば、リブ３０を領域２２または２４に設け、かつ底面から離間させてもよい。
【００１７】
リブ３０はオイルパン２０と一体として鋳造してもよいし、オイルパン２０とは別体として製造してオイルパン２０に取り付けてもよい。高い剛性および軽量化のためリブ３０をオイルパン２０とは異なる材料で形成してもよく、例えば鉄、カーボンなどを用いてもよい。
【００１８】
以上本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００１９】
１０                    シリンダブロック
１２                    シリンダヘッド
１４                    マウント
１４ａ                  締結点（取付部）
１４ｂ                  締結点
２０                    オイルパン
２２、２４、２６        領域
３０                    リブ
１００                  内燃機関
【図１】
2020084864.tif 000003
【図２】
2020084864.tif 000004
(57)【要約】      （修正有）【課題】下水道マンホール内に流れ込む流入水中の夾雑物を回収してマンホール内据付けの揚水ポンプの揚水不能を防止するための夾雑物回収装置を提供する。【解決手段】夾雑物回収篭６を地上からフリーハンドル棒７によりマンホール１内に吊り下げ入れて、マンホール１の流入水流入口１ａに相対して設ける緩衝用の受枠１ｂ内を通って該受枠１ｂ下に、上下端を該受枠１ｂと底盤２にて当て止め、マンホール１内の流入水中の夾雑物Ｋを回収篭６内に落入させ回収する構造とした。【選択図】図３
2020084445.tif 000002
【特許請求の範囲】
【請求項１】
マンホール内の流入水中の夾雑物回収用に形成する夾雑物回収篭をフリーハンドル棒によりマンホールの流入水流入口に相対して設ける緩衝用の受枠内を通って該受枠下に吊り下げ入れて上下端を該受枠と底盤にて当て止め、マンホール内の流入水中の夾雑物を該回収篭内に落入させ回収して揚水ポンプの夾雑物による揚水不能を防止するようにしたことを特徴とする下水道マンホール内の夾雑物回収装置。
【請求項２】
フリーハンドル棒は夾雑物回収篭に着脱自在である請求項１に記載の下水道マンホール内の夾雑物回収装置。
【発明の詳細な説明】
【技術分野】
【０００１】
この発明は下水道マンホール内の夾雑物回収装置に関するものである。
【背景技術】
【０００２】
下水道は一定区間毎に高低の勾配をつけてスムースに流水するようにしていて、各区間の低位端のマンホール内には揚水ポンプを据付けて流入水を揚水して次区間の高位の下水道に流入するようにしている。
【０００３】
しかしながら、流入水中には多種の夾雑物が混入していてこれらの夾雑物により揚水ポンプが損傷して揚水しないことが生ずるという課題がある。
【０００４】
特開２００９−７９５５４号公報は破砕羽根車と切刃部材、シュラウドリングおよび格子との間で夾雑物を挟んで破砕して課題を解決するということを記載している。
【先行技術文献】
【特許文献】
【０００５】
【特許文献１】特開２００９−７９５５４号公報
【発明の概要】
【発明が解決しようとする課題】
【０００６】
しかしながら、上記の公報は普段のメンテナンスに多大な時間と労力を必要にして、なお作動不能を生じたりするという課題がある。
【０００７】
また夾雑物中の布、ビニールシートなどは回転軸などに絡みついて作動不能が生じて揚水しなくなるという課題がある。
【課題を解決するための手段】
【０００８】
本発明は、マンホール内の流入水中の夾雑物回収用に形成する夾雑物回収篭をフリーハンドル棒によりマンホールの流入水入口に相対して設ける緩衝用の受枠内を通って該受枠下に吊り下げ入れ、上下端を該受枠と底盤にて当て止めて、流入水中の夾雑物を該回収篭内に落入させ回収するようにして揚水ポンプの夾雑物による揚水不能を防止して課題を解決するように構成する。
【発明の効果】
【０００９】
本発明は、フリーハンドル棒により地上から夾雑物回収篭をマンホール内の所定位置に簡単且つ確実に吊り下げ入れ、且つ地上に引上げることができるという効果を生ずる。
【００１０】
流入水中の夾雑物は夾雑物回収篭内に１００％落入して回収されることで、揚水ポンプの揚水不能を確実に防止するという効果を生ずる。
【００１１】
マンホールは揚水ポンプの故障の有無の点検を不要若しくは著しく少なくすることができるという効果を生ずる。
【００１２】
マンホール内に入って揚水ポンプなどの点検が不要若しくは著しく少なくなることで、作業環境を著しく良好にするという効果を生ずる。
【００１３】
フリーハンドル棒と回収篭は取付け取外しを自在にしたので、別々にすることで保管・運搬を容易にし、また回収篭の使用と未使用の交換を素早くすることができるという効果を生ずる。
【図面の簡単な説明】
【００１４】
【図１】夾雑物回収装置の夾雑物回収篭の１実施例を示す斜視図
【図２】同、フリーハンドル棒を夾雑物回収篭から取り外した状態にて示す部分拡大断面図
【図３】（ａ）乃至（ｄ）は夾雑物回収篭の吊下げ設置手順を示す説明図
【発明を実施するための形態】
【００１５】
本発明は、マンホール内の流入水中に混入する多種の夾雑物を回収篭内に１００％落入させて、夾雑物のない流入水のみをマンホール内に溜め、これを揚水ポンプにより揚水して次高位の下水道に送出し、以ってマンホール内の揚水ポンプの夾雑物による損傷などによる揚水不能を確実に防止するようにして構成する。
【実施例１】
【００１６】
図１乃至図３は本発明の実施例であって、区間低位のマンホール１内には底盤２上に揚水ポンプ３を据付けする。
【００１７】
マンホール１の上蓋４を外して開口５よりマンホール１内に夾雑物回収篭６を下げ入れる。フリーハンドル棒７は下端に吊下げ孔７ａを有して回収篭６の上端の突子６ａに着脱自在に篏合して吊り下げてマンホール１内に吊り入れるのである。６ｂは掛止用の割ピンである。なお、吊入れ手段は図示のないばね挟み手段などに置きかえることができる。
【００１８】
マンホール１内は流入水受入口１ａに相対して平面視Ｃ形またはコ形とする緩衝用の受枠１ｂを設けていて、図３（ａ）乃至図３（ｄ）に示すように吊り入れた回収篭６はマンホール１の壁面に沿って下げられて、この受枠１ｂ内を通ってその下端下に至って、上端６ａを受枠１ｂの下端に当て止め、下端を底盤２の周壁土手２ａに乗せて定置させる。
フリーハンドル棒７をマンホール１内に入れ納めてから上蓋４を嵌めて開口５を塞ぐこととなる。
【００１９】
しかして、このマンホール１内に流入する流入水は受枠１ｂに当たって緩やかになって直下の夾雑物回収篭６内に入り周囲の篭目６ｃと底板６ｄの多孔６ｅよりマンホール１内に流出し、流入水中の夾雑物Ｋは回収篭６内に溜まって回収されることとなる。夾雑物回収篭６はＣ形またはコ形の受枠１ｂの内側に入る相似形としているので流入水はすべて夾雑物回収篭６内に落入することとなる。
【００２０】
従って底盤２上の揚水ポンプ３には夾雑物Ｋのない流入水のみを吸入して揚水して高位の吐出口１ｃより流水させることとなるので、破砕し得ない夾雑物Ｋの吸引による損傷も生じないものとなる。なお、夾雑物回収篭６の大きさ、長さとフリーハンドル棒７の長さはマンホール１の大きさによって変えられるが、篭６の口径は流入水受入口１ａより大きくしている。
【００２１】
夾雑物回収篭６はフリーハンドル棒７により定期的にマンホール１内の開口５より地上に引き上げて回収した夾雑物Ｋを取り出して処分して後、洗浄して再吊り下げ入れされることとなる。
【００２２】
以上のようにして本発明は夾雑物を地上にて回収の操作ができることとなるので作業環境を著しく良好にするものとなる。
【産業上の利用可能性】
【００２３】
本発明は、揚水ポンプ据付けのマンホールの点検を不要または点検回数を著しく少なくすることで広く利用されるものである。
【符号の説明】
【００２４】
１はマンホール
１ａは流入水受入口
１ｂは受枠
１ｃは吐出口
２は底盤
２ａは周壁土手
３は揚水ポンプ
４は上蓋
５は開口
６は夾雑物回収篭
６ａは突子
６ｂは割ピン
６ｃは篭目
６ｄは底板
６ｅは多孔
７はフリーハンドル棒
７ａは吊下げ孔
Ｋは夾雑物
【図１】
2020084445.tif 000003
【図２】
2020084445.tif 000004
【図３】
2020084445.tif 000005
(57)【要約】【課題】振動および騒音を抑制することが可能なオイルポンプを提供することを課題とする。【解決手段】内燃機関のクランクケースの表面に取り付けられ、前記内燃機関から駆動力が伝達される伝達部と、前記クランクケースに締結される取付部と、前記クランクケースの表面に接触し、前記取付部を挟んで前記伝達部とは反対側に突出する突出部と、を具備するオイルポンプ。【選択図】図１
2020084963.tif 000002
【特許請求の範囲】
【請求項１】
内燃機関のクランクケースの表面に取り付けられ、
前記内燃機関から駆動力が伝達される伝達部と、
前記クランクケースに締結される取付部と、
前記クランクケースの表面に接触し、前記取付部を挟んで前記伝達部とは反対側に突出する突出部と、を具備するオイルポンプ。
【発明の詳細な説明】
【技術分野】
【０００１】
本発明はオイルポンプに関する。
【背景技術】
【０００２】
内燃機関の冷却および潤滑のために、オイルポンプを用いて内燃機関にオイルを供給する。オイルポンプは、内燃機関のクランクシャフトからチェーンなどを介して伝達される駆動力により駆動される（特許文献１など）。
【先行技術文献】
【特許文献】
【０００３】
【特許文献１】特開平８−２７０４２６号公報
【発明の概要】
【発明が解決しようとする課題】
【０００４】
しかし、チェーンの張力によりオイルポンプが振動し騒音が発生することがある。そこで振動および騒音を抑制することが可能なオイルポンプを提供することを目的とする。
【課題を解決するための手段】
【０００５】
上記目的は、内燃機関のクランクケースの表面に取り付けられ、前記内燃機関から駆動力が伝達される伝達部と、前記クランクケースに締結される取付部と、前記クランクケースの表面に接触し、前記取付部を挟んで前記伝達部とは反対側に突出する突出部と、を具備するオイルポンプによって達成できる。
【発明の効果】
【０００６】
振動および騒音を抑制することが可能なオイルポンプを提供できる。
【図面の簡単な説明】
【０００７】
【図１】図１（ａ）はオイルポンプを例示する平面図であり、図１（ｂ）はオイルポンプを例示する側面図である。
【発明を実施するための形態】
【０００８】
以下、図面を参照して本実施形態のオイルポンプ１０について説明する。図１（ａ）はオイルポンプ１０を例示する平面図であり、図１（ｂ）はオイルポンプ１０を例示する側面図である。Ｘ軸、Ｙ軸およびＺ軸は互いに直交する。クランクケース２０の表面はＸＹ平面に広がる。＋Ｚ方向は上方向であり、−Ｚ方向は下方向である。
【０００９】
図１（ａ）および図１（ｂ）に示すように、オイルポンプ１０のうち＋Ｘ側の先端には伝達部１２が設けられ、−Ｘ側には取付部１４および凸部１６が設けられている。取付部１４は例えばネジ穴を含み、ボルト１５が当該ネジ穴にねじ入れられることで、オイルポンプ１０はクランクケース２０の表面（下面）に取り付けられる。
【００１０】
凸部１６は、取付部１４から、取付部１４を挟んで伝達部１２とは反対側（−Ｘ側）に突出し、クランクケース２０の表面に接触する。Ｘ軸方向における取付部１４から凸部１６の先端までの距離Ｄ１は、例えば取付部１４から伝達部１２の先端までの距離Ｄ２の１／１０程度である。
【００１１】
図１（ｂ）に示すように、伝達部１２にはスプロケット２２が取り付けられ、スプロケット２２にはチェーン２４が掛け渡される。チェーン２４は不図示の内燃機関のクランクシャフトにも掛け渡される。クランクシャフトが回転すると、クランクシャフトの駆動力はチェーン２４およびスプロケット２２を介して伝達部１２に伝達される。伝達部１２はオイルポンプ１０の駆動軸に接続されているため、伝達部１２に加わる駆動力によりオイルポンプ１０が駆動する。これにより内燃機関にオイルを供給する。
【００１２】
チェーン２４から伝達部１２にＺ軸方向に引っ張るような張力がはたらく。このため例えば取付部１４を支点として、オイルポンプ１０をＺ軸方向に振動させるようなモーメントが作用する。
【００１３】
本実施形態によれば、凸部１６が伝達部１２とは反対側に突出し、クランクケース２０の表面に接触することで、オイルポンプ１０の振動および騒音を抑制する。つまり、張力によりオイルポンプ１０の伝達部１２は＋Ｚ側に引っ張られる。このときボルト１５によりオイルポンプ１０は固定される。張力が小さくなると伝達部１２は−Ｚ側に戻ろうとする。このとき凸部１６がクランクケース２０の表面に突き当たり、踏ん張りをきかせることで、オイルポンプ１０の動きを規制する。したがって振動、および振動に起因する騒音を抑制することができる。
【００１４】
凸部１６の大きさおよび形状は変更可能であり、凸部１６が取付部１４を基準として伝達部１２とは反対側に突出していればよい。オイルポンプ１０は取付部１４においてボルト１５によりクランクケース２０に締結されるとしたが、他の方法で固定してもよい。
【００１５】
以上本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００１６】
１０                    オイルポンプ
１２                    伝達部
１４                    取付部
１５                    ボルト
１６                    凸部
２０                    クランクケース
２２                    スプロケット
２４                    チェーン
【図１】
2020084963.tif 000003
(57)【要約】【課題】  強い磁力を用いているＭＲＩの検査に際しては、磁力によって影響される物は除外して検査に臨まなければならない。従来のかつらはそのストッパーの材料として鉄系の材料を用いていたことから、外して検査を受ける必要があった。しかし、その場合かつらを取った姿を晒さなければならず、羞恥心から検査そのものを避ける場合があった。【解決手段】  バネ材料として、磁石に影響されるものを用いていたことが問題であって、非磁性のバネ材料を用いることによってこれを回避することができる。その材料としては、ベリリュウム銅、りん青銅、洋白、チタンなどがあり、これらを使用することによって問題を回避できる。【特許請求の範囲】
【請求項１】
かつらに使用するストッパー用の材料として非磁性のバネ材料を用いることを特徴とするかつら用ストッパー。
【請求項２】
請求項１に記載した非磁性のバネ材料としては、ベリリュウム銅、りん青銅、洋白、チタンなどであり、これらを使用することを特徴とするかつら用ストッパー。
【発明の詳細な説明】
【技術分野】
【０００１】  かつらを頭に固定する方法として、バネを用いることは当たり前のことで、それによって不用意な脱落を防ぎ、あたかもかつらを装着していない、すなわち自然な状態を作り出す。
【発明が解決しようとする課題】
【０００２】  医療機械の発達がめざましいが、特にＭＲＩの進歩が著しい。従来は１．５テスラの磁場を使用していたが、最近は３．０テスラの強度を使用する場合が出ている。
【０００３】  従来の磁場で問題になっていた事故案件として、持ち込んだボンベが飛んで、磁石に張り付いた例。また、人工内耳が壊れた、等の問題があり、美容関連としてはカラーコンタクトなどがある。
【０００４】  更に、かつら用ストッパーを装着したまま装置に入りかつらが飛んだという例が報告されている。これは特に女性にとっては恥ずかしい出来事であってこうした事態は避けたいと考えられます。
【課題を解決するための手段】
【０００５】  こうした事態を避けるためには、非磁性のバネ材料を使うことによって避けることができると考えることができます。
【０００６】  市販の非磁性のバネ材料としては、ベリリュウム銅、りん青銅、洋白、チタンがあり、これらを使用することによって事故を発生させないと考えられます
【０００７】  材料としては、ベリリュウム銅では合金番号Ｃ１７２０，りん青銅では合金番号Ｃ５２１０，Ｃ５１０２，洋白では合金番号Ｃ７７０１、チタンでは合金番号ＴＷ２７０，ＴＷ３４０，ＴＷ４８０，ＴＷ１５００，ＴＷ３２５０，ＴＡＷ３２５０Ｆ，ＴＷ４２２０が該当する。
【発明の効果】
【０００８】  非磁性の材料であるので、磁石には何らの反応も起こさない。従ってＭＲＩのような強い磁力の影響下でも何らの反応を起こさない。
【０００９】  従ってＭＲＩの検査の際にもかつらを取り去る必要はなく、そのままで検査に臨むことができるので、羞恥心なく検査ができる。
【実施例１】
【００１０】  実際にかつらを装着したままでＭＲＩの検査に臨んだ結果、何の問題もなく検査を行えた。
(57)【要約】【課題】  救急救命活動に際して上腕の動作にかかる負荷を軽くすることができる衛生的な院外活動上衣とすること、及びその上衣に設けられた胸ポケットにスマートフォンなどの小型の動画撮影装置を容易に装着できるとともに脱落や冠水や汚染の恐れなく撮影ができるようにする【解決手段】ラグラン形状の前身頃と後身頃の間に伸縮性のある生地をおき、上衣の裾先の部分に伸縮性のある織り方による生地をおき、小型の動画撮影装置の形状にあわせて深さ及び幅を調整でき雨水や汚染を防止することができる胸ポケットを設けた院外活動用上衣【選択図】  図１
2020084338.tif 000002
【特許請求の範囲】
【請求項１】
前身頃と後身頃の間に伸縮性のある生地をおくことによって、上腕等による救急救命活動に際しての負担を軽減することを可能とすることを特徴とする上衣
【請求項２】
伸縮性のある生地の部分が首周りから上衣の下端までの全周に及ぶことを特徴とする請求項１の上衣
【請求項３】
伸縮性のある生地の部分の幅が、上腕等による救急救命活動に際しての伸張の幅に応じて十分な広さとする変化を有することを特徴とする請求項１の上衣
【請求項４】
袖先に伸縮性のある生地をおくことによって、袖をまくり上げたりせずに、上腕等による救急救命活動を衛生的かつ容易とすることを特徴とする請求項１の上衣
【請求項５】
小型の動画撮影装置を容易に装着でき脱落や冠水汚染の恐れをなくすため装置にあわせて深さ及び幅を調整できる胸ポケットを上衣に設けることを特徴とする請求項１の上衣
【請求項６】
小型の動画撮影装置にあわせて幅を調整する方法として面ファスナーを用い、深さを調整する方法としてスナッパーを用いることを特徴とする請求項５の上衣
【発明の詳細な説明】
【技術分野】
【０００１】
本発明は、救急救命や災害現場などへ向かう医師、看護師や救命士が、院外で緊急施術等をする際に、その作業のために容易かつ衛生的に上腕等を動作させることを可能とする上衣に関するものである。
【背景技術】
【０００２】
救急救命や災害現場などへ向かう医師、看護師や救命士が、院外で緊急施術等をする際には、１つには救急現場が屋外であることから悪天候や酷寒の環境下で作業を行うことを余儀なくされることが予想され、もう１つには汚染血液が飛散している環境下で作業を行うことを余儀なくされることが予想されるとともに、一刻を争う救急救命の現場では、服の着替えなどは事実上不可能であることから、服を着用したまま救急救命活動が可能となる院外活動服が求められていた。
また、救急救命活動は、院外活動という性質上、院内での治療行為とは異なって、要救命者との間に事前の何らの契約関係がないこと、緊急施術等を施したにもかかわらず死亡しまたは重篤な後遺障害が残る可能性が高いことから、事後において、要救命者またはその遺族や後見人との間の法的なトラブルになる可能性が必ずしも低いとはいえず、また多くの場合、行政も関与することから、院外での緊急施術等の実施の一部始終を録画することが望ましいにもかかわらず、撮影のための要員を医師、看護師や救命士のほかに確保することは困難であり、施術等を行うものが自ら撮影をも担当するしかないところ、それを安全かつ容易にできるために装置を上衣に装着する方法やそれを実現するためのポケットが必要とされていた。
【０００３】
しかし、救急救命においては、心臓マッサージ施術に代表されるように、医師、看護師や救命士の特に上腕の負荷の大きな動作が必要とされることがあり、従前の院外服においては、上衣の可動域や柔軟性の点で、かかる上腕の動きに対して抵抗が大きく、救急救命活動に従事する医師、看護婦や救命士の負担となるおそれがあった。
また、撮影においては、従前のような胸ポケットの構造では、そこにスマートフォンなどの小型のビデオカメラ機能を有する装置を差し込むだけでは、その装置が悪天候による雨水や汚染血液などに晒されたり、落下させたりする危険があった。
【先行技術文献】
【特許文献】
【０００４】
【特許文献１】特願２００７−１６３７５３
【発明の概要】
【発明が解決しようとする課題】
【０００５】
解決しようとする課題は、救急救命活動に際して上腕の動作にかかる負荷を軽くすることができる衛生的な院外活動上衣とすること、及びその上衣に設けられた胸ポケットにスマートフォンなどの小型の動画撮影装置を容易に装着できるとともに脱落や冠水や汚染の恐れなく撮影ができるようにする点にある。
【課題を解決するための手段】
【０００６】
本発明は、救急救命活動に際して上腕の動作にかかる負荷を軽くするため、上衣のラグラン形状の前身頃と後身頃の間にリブ織りまたはその他の伸縮性のある織り方による生地をおくこと、上衣の裾先の部分にリブ織りまたはその他の伸縮性のある織り方による生地をおくこと、及び小型の動画撮影装置を容易に装着でき脱落や冠水汚染の恐れをなくすため装置にあわせて深さ及び幅を調整できる胸ポケットを上衣に設けることによって、上記課題を解決しようとするものである。
【発明の効果】
【０００７】
本発明には、救急救命活動に際して上腕の動作にかかる負荷を軽くすること、及び、容易に脱着できる小型の動画撮影装置を脱落や冠水汚染の恐れなく救急救命活動中も動画を撮影できるという利点がある。
【図面の簡単な説明】
【０００８】
【図１】図１は上衣の前身頃とリブ及びポケットを示した図面代用写真である。（実施例１）
【図２】図２は上衣の後身頃とリブ及び裾先のリブを示した図面代用写真である。（実施例２）
【発明を実施するための形態】
【０００９】
図１は、本発明の実施例の正面図であって、上衣を正面から見た図であり、１〜４は、前身頃と後身頃の間の伸縮性のあるリブ織の生地による縫製の部分である。
【００１０】
図２は、本発明の実施例の背面図であって、上衣を後ろから見た図であり、５〜８は、後身頃と前身頃の伸縮性のあるリブ織りの生地による縫製の部分である。
９及び１０は、袖先にある伸縮性のあるリブ織りの生地による縫製の部分である。  
【符号の説明】
【００１１】
１〜８    伸縮性のあるリブ織り縫製部分  
９及び１０  伸縮性のあるリブ織り縫製部分
１１      ポケット
【図１】
2020084338.tif 000003
【図２】
2020084338.tif 000004